(57)【要約】【目的】各シーンやフレームに重要度が付与された動画像ファイルやビデオにおいて或る特定のシーンやフレームを探し出して自動的に再度再生することが可能になる画像再生装置を提供すること。【構成】動画像に対して各シーン又はフレームに重要度が入力される手段と、重要度の閾値が設定される手段と、動画像の再生を行う手段と、重要度を該閾値と比較する手段と、前手段で比較した結果、重要度が閾値を超えた時刻１を記憶する手段と、先の手段で比較した結果、重要度が閾値より小さくなった時刻２を記憶する手段と、時刻１を取り出し、動画像を時刻１の時点まで巻き戻す手段と、動画像を該時刻１の箇所から時刻２の個所まで再生を行う手段とを有する。【選択図】　　　図１
2004007042.tif 000002
【特許請求の範囲】
【請求項１】
動画像に対して各シーン又はフレームに重要度が入力される手段と、重要度の閾値が設定される手段と、動画像の再生を行う手段と、重要度を該閾値と比較する手段と、前手段で比較した結果、重要度が閾値を超えた時刻１を記憶する手段と、先の手段で比較した結果、重要度が閾値より小さくなった時刻２を記憶する手段と、時刻１を取り出し、動画像を時刻１の時点まで巻き戻す手段と、動画像を該時刻１の箇所から時刻２の個所まで再生を行う手段と、を有することを特徴とする画像再生装置。
【請求項２】
動画像が終了したか否かを判定する手段と、前記重要度が閾値より小さくなった時刻２を記憶するよりも以前に動画像が終了した場合に、時刻１を取り出し、該動画像を該時刻１の時点まで巻き戻す手段と、該動画像を該時刻１の箇所から終了時刻まで再生を行う手段と、を有することを特徴とする請求項１に記載の画像再生装置。
【請求項３】
動画像に対して各シーン又はフレームに重要度が入力される手段と、重要度の閾値が設定される手段と、動画像の再生を行う手段と、重要度を閾値と比較する手段と、前手段で比較した結果、重要度が閾値を超えた時刻１を記憶する手段と、先の手段で比較した結果、重要度が閾値より小さくなった時刻２を記憶する手段と、動画像を該時刻１の箇所から時刻２の箇所まで再生を行うように再生パターンファイルに記録する手段と、動画像を該再生パターンファイルに従って再生を行う手段と、を有することを特徴とする画像再生装置。
【請求項４】
映像を再生させるコンピュータを、動画像に対して、各シーン又はフレームに重要度が入力される手段と、重要度の閾値が設定される手段と、動画像の再生を行う手段と、重要度を閾値と比較する手段と、前手段で比較した結果、重要度が閾値を超えた時刻１を記憶する手段と、先の手段で比較した結果、重要度が閾値より小さくなった時刻２を記憶する手段と、時刻１を取り出し、動画像を該時刻１の時点まで巻き戻す手段と、該動画像を該時刻１の箇所から時刻２の箇所まで再生を行う手段として機能させるためのプログラム。
【請求項５】
動画像が終了したか否かを判定する手段と、前記重要度が該閾値より小さくなった時刻２を記憶するよりも以前に動画像が終了した場合に、該時刻１を取り出し、該動画像を該時刻１の時点まで巻き戻す手段と、該動画像を該時刻１の個所から終了時刻まで再生を行う手段と、を有することを特徴とする請求項４記載のプログラム。
【請求項６】
映像を再生させるコンピュータを、動画像に対して、各シーン又はフレームに重要度が入力される手段と、重要度の閾値が設定される手段と、該動画像の再生を行う手段と、該重要度を該閾値と比較する手段と、前手段で比較した結果、重要度が閾値を超えた時刻１を記憶する手段と、先の手段で比較した結果、重要度が閾値より小さくなった時刻２を記憶する手段と、動画像を時刻１の箇所から時刻２の箇所まで再生を行うように再生パターンファイルに記録する手段と、動画像を該再生パターンファイルに従って再生を行う手段として機能させるためのプログラム。
【請求項７】
映像を再生させるコンピュータを、動画像に対して、各シーン又はフレームに重要度が入力される手段と、重要度の閾値が設定される手段と、動画像の再生を行う手段と、重要度を閾値と比較する手段と、前手段で比較した結果、重要度が閾値を超えた時刻１を記憶する手段と、先の手段で比較した結果、重要度が閾値より小さくなった時刻２を記憶する手段と、時刻１を取り出し動画像を該時刻１の時点まで巻き戻す手段と、動画像を時刻１の箇所から時刻２の箇所まで再生を行う手段として機能させるためのプログラムを記録したコンピュータ可読である記憶媒体。
【請求項８】
動画像が終了したか否かを判定する手段と、前記重要度が該閾値より小さくなった時刻２を記憶するよりも以前に動画像が終了した場合に、時刻１を取り出し、該動画像を該時刻１の時点まで巻き戻す手段と、動画像を時刻１の箇所から終了時刻まで再生を行う手段と、を有する請求項７記載の記憶媒体。
【請求項９】
映像を再生させるコンピュータを、動画像に対して、各シーン又はフレームに重要度が入力される手段と、重要度の閾値が設定される手段と、動画像の再生を行う手段と、重要度を該閾値と比較する手段と、前手段で比較した結果、重要度が閾値を超えた時刻１を記憶する手段と、先の手段で比較した結果、重要度が閾値より小さくなった時刻２を記憶する手段と、動画像を時刻１の箇所から時刻２の箇所まで再生を行うように再生パターンファイルに記録する手段と、動画像を再生パターンファイルに従って再生を行う手段として機能させるためのプログラムを記録したコンピュータ可読である記憶媒体。
【請求項１０】
動画像に対して、各シーン又はフレームに重要度が入力されるステップと、重要度の閾値が設定されるステップと、動画像の再生を行うステップと、重要度を閾値と比較するステップと、前ステップで比較した結果、重要度が閾値を超えた時刻１を記憶するステップと、先のステップで比較した結果、重要度が閾値より小さくなった時刻２を記憶するステップと、時刻１を取り出し、動画像を時刻１の時点まで巻き戻すステップと、動画像を時刻１の箇所から時刻２の箇所まで再生を行うステップと、を有することを特徴とする画像再生方法。
【請求項１１】
動画像が終了したか否かを判定するステップと、前記重要度が閾値より小さくなった時刻２を記憶するよりも以前に動画像が終了した場合に、時刻１を取り出し、動画像を該時刻１の時点まで巻き戻すステップと、該動画像を該時刻１の箇所から終了時刻まで再生を行うステップと、を有することわ特徴とする請求項１０記載の画像再生方法。
【請求項１２】
動画像に対して、各シーン又はフレームに重要度が入力されるステップと、重要度の閾値が設定されるステップと、動画像の再生を行うステップと、重要度を閾値と比較するステップと、前ステップで比較した結果、重要度が閾値を超えた時刻１を記憶するステップと、先のステップで比較した結果、重要度が閾値より小さくなった時刻２を記憶するステップと、動画像を時刻１の箇所から時刻２の箇所まで再生を行うように再生パターンファイルに記録するステップと、動画像を再生パターンファイルに従って再生を行うステップと、を有することを特徴とする画像再生方法。
【発明の詳細な説明】
【０００１】
【発明の属する技術分野】
本発明は、記録媒体から情報を再生する装置に係り、重要な情報を繰り返し再生する画像再生装置に関する。
【０００２】
【従来の技術】
教室における授業場面では、教師がその時限の重要なポイントを何度も復唱し、生徒に定着を促すことが良くある。一方、ビデオによる英会話教材のようなものでこれを実現しようとする場合には、該当のビデオの中には重要なポイントがどのシーンやフレームであるかという情報が該当のビデオに一般に付与されてなく、ユーザ自身で探し出すことが必要である。このような場合において、従来は対象とする動画像ファイルの早送りや再生を繰り返しながら、ユーザの曖昧な記憶や知識を頼りにして探し出すという、極めて効率の悪い方法が採られていた。又、繰り返して再生したいシーンを予め二重にビデオに収めておくという記憶領域を多く必要とする方法が採られていた。
【０００３】
例えば、重要な場面として画面に字幕が出ている場合を想定して、特公平０７−１９２００３号公報に記載された動画像検索装置においては、デジタル画像として取り込んだフレーム画像について輝度判定及びフレーム照合によって、一連のフレーム画像において同じ位置に現れている高輝度画素の存在するフレーム画像を検出することで、動画像中から字幕の現れている画像を抽出して一覧表示し、ユーザが簡単に所望のシーンを探し出せるようにする装置が提案されている。
【０００４】
又、特開平０８−１８０５０６号公報に記載された記録再生装置においては、記録時に重要なシーンのみを選択的に記録するか、又は再生時に重要なシーンの再生速度を自動的に制御するシステムを提供する装置が提案されている。
【０００５】
【発明が解決しようとする課題】
しかしながら、これらの装置においては、学習者に知識の定着を図るという意図を持って自動的に動画像の一部を繰り返して再生できるものではないという問題点があった。又、繰り返して再生したいシーンを予め二重にビデオに収めておくために、記憶領域が多く必要となるという問題点あった。
【０００６】
本発明は上記問題点に鑑みてなされたもので、その目的とする処は、各シーンやフレームに重要度が付与された動画像ファイルやビデオにおいて或る特定のシーンやフレームを探し出して自動的に再度再生することが可能になる画像再生装置とこれを動作させるプログラム、記憶媒体及び画像再生方法を提供することにある。
【０００７】
【課題を解決するための手段】
上記目的を達成するため、動画像に対して各シーン又はフレームに重要度が入力される手段と、重要度の閾値が設定される手段と、動画像の再生を行う手段と、重要度を該閾値と比較する手段と、前手段で比較した結果、重要度が閾値を超えた時刻１を記憶する手段と、先の手段で比較した結果、重要度が閾値より小さくなった時刻２を記憶する手段と、時刻１を取り出し、動画像を時刻１の時点まで巻き戻す手段と、動画像を該時刻１の箇所から時刻２の個所まで再生を行う手段と、を有することを特徴とする。
【０００８】
【発明の実施の形態】
以下に本発明の実施の形態を添付図面に基づいて説明する。
【０００９】
＜実施の形態１＞
本発明における画像再生装置は、図１に示すように、デジタル記録された動画像や本装置を制御するプログラムを蓄積格納するハードディスク等の蓄積手段１と、動画像に対して重要度を入力するキーボード等の入力手段２と、動画像のシーンごとの重要度を求める重要度抽出手段３と、再生を制御するのに必要な時刻と再生前に設定された閾値を保持しこれらに基づいて再生回数を制御する再生制御手段４と、再生制御手段４の制御の下に動画像を再生する動画再生手段５と、再生された動画像を表示するテレビ等の表示手段６と、これら１〜６の手段を制御する中央処理演算部７とを備えている。本発明において、これら１〜６の手段を制御するプログラムは蓄積手段１から読み出され、中央処理演算部７によって制御される。
【００１０】
尚、本発明の機能が実行されるのであれば、それぞれの手段が１つの筐体内に存在する単体の機器であっても、複数の機器から成るシステムであっても、ＬＡＮ等のネットワークを介して処理が行われるシステムであっても本発明を適用できるのは言うまでもない。
【００１１】
動画像の重要度は、シーン又はフレームごとの重要さを表す時刻ｔの関数である。重要度が付与されていない画像に対して入力手段２を用いて時刻ｔ毎に重要度を入力し画像のシーンごとに付与しておく。この関数のことを重要度関数と呼ぶ。重要度については、例えば前出の特開平０７−１９２００３号公報に記載されたの動画像検索装置では字幕が出ているシーンでは重要度が高いとしている。
【００１２】
しかし、本発明においては例えば入力者の主観によって入力するものとするが、特に基準や方式を定めるものではない。対象となる動画像とその動画像に対する重要度関数の記憶方法は、蓄積手段１内の同一領域に格納しても良く、関係付けが取られていれば蓄積手段１内の別の領域に格納しても良い。具体的な記述方法の一例は図３の説明の中で述べる。
【００１３】
重要度抽出手段３は、閲覧される動画像の蓄積情報を蓄積手段１から読み出し、動画像のシーンごとに付与された時刻ｔに対応する重要度を求め、これを重要度関数ｆ（ｔ）として再生制御手段４に出力する。
【００１４】
再生制御手段４は、再生時の重要度に関する閾値を保持するとともに、重要度関数ｆ（ｔ）の値によって動作が変化する。即ち、ｆ（ｔ）の値が保持している閾値を超えた時刻ｔ１を記録しておき、ｆ（ｔ）の値がその閾値よりも小さくなった時間ｔ２を又記録する。そして、先に記録した時刻ｔ１から時刻ｔ２までを繰り返して再生するよう動画再生手段５に指示し、動画再生手段５は表示手段６に時刻ｔ１から時刻ｔ２までの動画像を表示する。
【００１５】
図２は利用者のインターフェイスに係る部分、即ち、入力手段２と表示手段６との構成を示した図である。図４に示すフローチャートでの動画像のシーンへ分割がなされた後の重要度を入力している場面を示している。表示手段にはシーンの代表となる画像が示されており、入力手段２動画用いて重要度を入力する。尚、動画像中の各シーンの代表となる画像を選択値が方法は、例えば情報処理学会論文誌　Ｖｏｌ．３３，　Ｎｏ．４，にある“カラービデオ映手段おける自動索引付け法と物体探索法”を利用するが、本装置では特に規定するものではない。
【００１６】
図３は或る動画像に対して重要度を記述する段との一例である。動画像のタイトル名は動画名の個所に記述され、例では「アラビア該講座初級その１」である。この例ではタイトル名を利用して該動画像とする係付けを取っている。タイトル名の下から時刻と重要度のペアで記述され、例では時刻０〜２が重要度５、時刻１５〜２０が重要度２、時刻２０〜３０が重要度３であることを示している。前述したように、このような形式で動画像中に埋め込んでも良く、該動画像と関係付けが取られていれば別ファイルとして蓄積手段１に保存しても、本発明の効果に影響はない。
【００１７】
本装置の動作についてフローチャートを用いて説明する。
【００１８】
先ず、図４は重要度が付与されていない動画像に対して、該動画像の各シーンについて重要度を付与する処理を示すフローチャートである。ステップＳ４−１では対象となる動画像を中央処理演算部７がシーンごとに分割して各シーンに代表となる画像を表示手段６に表示する。動画像のシーンへの分割方法と代表画像の選び出し方法は、例えば図２の説明で述べた情報処理学会論文誌　Ｖｏｌ．３３　Ｎｏ．４“カラービデオ映像における自動索引付け法と物体探索法”にある方法等を利用するが、本発明では特に規定しない。ステップＳ４−２では入力者が入力手段２を用いて各シーンに重要度を入力する値を受信する。ステップＳ４−３ではステップ４−２で受信した各シーンの重要度を蓄積手段１に格納する。
【００１９】
尚、重要度関数ｆ（ｔ）は、例えばあるシーンが時刻ｔ１からｔ２までであり重要度３であったとすると、ｔ１≦ｘ≦ｔ２においてｆ（ｘ）＝３とし連続性を保ち、全ての時刻ｔに対して値を設定する。ステップＳ４−４では入力者が全てのシーンについて重要度を入力し終えたかどうかを判定する。もし終えていれば本処理を終了する。終えていなければステップＳ４−２へ戻る。
【００２０】
次に、図５は重要度の閾値を設定する処理に係るフローチャートである。ステップＳ５−１では入力者が入力手段２を用いて閾値を設定する値を受信する。ステップＳ５−２ではステップＳ５−１で入力された閾値を再生制御手段４に格納する。そして、本処理を終了する。
【００２１】
そして、図６は動画像の再生を行う処理に係るフローチャートである。
【００２２】
ステップＳ６−１では動画閲覧者による入力手段２よりの動画像の再生指示を受信する。ステップＳ６−２では蓄積手段１から該動画像を動画再生手段５に送り再生を行う。ステップＳ６−３では蓄積手段１から重要度関数ｆ（ｔ）を重要度抽出手段３に送る。ステップＳ６−４では現在再生中の動画像が最後まで終了したかどうかを判定する。終了していれば本処理は終了する。終了していなければステップＳ６−５に移る。ステップＳ６−５では時間ｔごとの重要度を重要度抽出手段３から再生制御手段４に送る。
【００２３】
ステップＳ６−６ではステップＳ６−５でよって重要度抽出手段３から再生制御手段に送られてきた重要度を先のステップＳ４−１で格納した閾値と比較する。比較の結果、該重要度が該閾値よりも大きいか同じであればステップＳ６−７に移り、小さければステップＳ６−４に戻る。ステップＳ６−７ではステップＳ６−５で再生制御手段に送られた時刻ｔ１を再生制御手段４に記録しておく。ステップＳ６−８では現在再生中の動画像が最後まで終了したかどうかを判定する。終了していなければステップＳ６−９に移る。終了していればステップＳ６−１１に移る。
【００２４】
ステップＳ６−９では時間ｔごとの重要度を重要度抽出手段３から再生制御手段４に送る。ステップＳ６−１０ではステップＳ６−９に重要度抽出手段３から再生制御手段４に送られてきた重要度を先のステップＳ４−１で再生制御手段４内に格納した閾値と比較する。比較の結果、該重要度が該閾値よりも小さければステップＳ６−１１に移り、同じ若しくは大きければステップＳ６−８に戻る。ステップＳ６−１１ではステップＳ６−１０で比較した時刻ｔ２を再生制御手段４に記録する。
【００２５】
ステップＳ６−１２ではステップＳ６−７で記録しておいた時刻ｔ１とステップＳ６−１１で記録した時刻ｔ２を再生制御手段４から取り出し、該動画像を時刻ｔ１の時点まで巻き戻して時刻ｔ２まで再生するよう動画再生手段５に指示する。ステップＳ６−１３では動画再生手段５が該動画像を時刻ｔ１まで巻き戻し、時刻ｔ２の個所から再生を行う。動画再生手段５が時刻ｔ２まで再生が終わればステップＳ６−４に移る。
【００２６】
尚、本実施の形態では、重要度関数は、撮影後に撮影者又は別の人間が付与するように実施の形態を構成しているが、撮影者が撮影時に予め入力して画像のシーンごとに付与しておくとして実施の形態を構成することも可能である。又、最後の部分で「本時のまとめ」的な重要部分が再生されることに鑑み、重要度入力のステップを省き時刻ｔそのものを重要度関数とし、或る時刻Ｔを重要度の閾値として実施の形態を構成することも可能である。
【００２７】
そして、本実施の形態では動画像のシーンごとに重要度を付与するとしているが、フレーム単位で付与することとして実施の形態を構成することも可能である。
【００２８】
＜実施の形態２＞
実施の形態１においては、重要度が重要度関数として付与された動画像の再生処理について、再生動作を行いながら再生の繰り返し制御を行っていた。本実施の形態においては、該再生装置における動画像の再生順序を再生パターンファイルとして記述し、該パターンの記述に基づいて再生動作を行うようにする。実施の形態１と比べ、再生対象となる動画像と再生パターンファイルのみを保持すれば良く、重要度関数の判定等の操作が不要となり、機器構成が簡略化される利点がある。
【００２９】
装置の構成、重要度の記述形式、重要度の付与方法、閾値の設定については実施の形態１と同様である。動画像の再生を行う処理に関しては実施の形態１と異なるので以下で詳細を説明する。
【００３０】
再生パターンファイルの一例を図７に示す。図７に示した例では、Ｌｅｓｓｏｎ１．ｍｐｇというファイル名を持つ動画像の開始から３秒の点から１０秒間及び開始から２０秒の点から７秒間再生することを示している。
【００３１】
図８は動画像の再生パターン作成を行う処理に係るフローチャートである。ステップＳ８−１では動画閲覧者による入力手段２よりの動画像の再生パターン作成指示を受信し、再生パターンファイルを蓄積手段１中に新たに作り、該ファイルの先頭に、対象となる動画像ファイル名と再生パターンファイルの先頭であることを示すために、
＜ＭｅｄｉａＵＲＩ＞Ｌｅｓｓｏｎ１．ｍｐｇ＜／ＭｅｄｉａＵＲＩ＞
を書き込み、開始時刻ｔ０＝０を蓄積手段１に格納する。
【００３２】
ステップＳ８−２では蓄積手段１から該動画のシーンごとに付与された重要度関数ｆ（ｔ）を重要度抽出手段３に送る。ステップＳ８−３では現在再生パターン作成中の動画像において、全てのシーンに対して再生パターンを作成したかどうかを判定する。終了していればステップＳ８−８へ移る。終了していなければステップＳ８−４に移る。ステップＳ８−４では時間ｔごとの重要度を重要度抽出手段３から抽出し、蓄積手段１に送る。ステップＳ８−５ではステップＳ８−４でよって重要度抽出手段３から蓄積手段１に送られてきた重要度を先のステップＳ４−１で格納した閾値と比較する。
【００３３】
比較の結果、該重要度が該閾値よりも大きいか同じであればステップＳ８−５に移り、小さければステップＳ８−６に移る。ステップＳ８−５ではステップＳ８−４で蓄積手段１に重要度が送られた時刻ｔ１を蓄積手段１に記録しておき、ステップＳ８−４に戻る。ステップＳ８−６ではステップＳ８−４で蓄積手段１に重要度が送られた終了時刻ｔ２を蓄積手段１に記録しておき、ステップＳ８−４に戻る。ステップＳ８−７ではステップＳ８−５で記録しておいた時刻ｔ１とステップＳ８−６で記録した終了時刻ｔ２を蓄積手段１から取り出し、図７で示した再生パターンファイルに、
2004007042.tif 000003
と追加し、ｔ０＝ｔ２としてステップＳ８−３に戻る。ステップＳ８−８では該再生パターンファイルに、再生パターンファイルの終了であることを示すために、終了時刻ｔ２に動画像Ｌｅｓｓｏｎ１．ｍｐｇの総時間を入れた上で、
2004007042.tif 000004
を書き込む。ステップＳ８−９では、以上の手続きで作成した再生パターンファイルを蓄積手段１に格納し、本手続きを終了する。
【００３４】
図９は動画像の再生を行う処理に係るフローチャートである。ステップＳ９−１では。動画閲覧者による入力手段２よりの動画像の再生指示を受信する。ステップＳ９−２では蓄積手段１から該動画像に関する再生パターンファイルを読み出す。ステップＳ９−２では該再生パターンファイルから
＜ＭｅｄｉａＵＲＩ＞Ｌｅｓｓｏｎ１．ｍｐｇ＜／ＭｅｄｉａＵＲＩ＞
の部分を読み、該当する動画像を蓄積手段１から読み出し動画像再生手段。ステップＳ９−３では該再生パターンファイル中に、
＜ＭｅｄｉａＴｉｍｅ＞　…＜／ＭｅｄｉａＴｉｍｅ＞
の部分の中で未だ読まれていない部分が存在するか否かを判定する。存在すればステップＳ９−４に移る。存在すれば、本手続きは終了する。ステップＳ９−４では、
2004007042.tif 000005
中の＜ＭｅｄｉａＲｅｌＴｉｍｅＰｏｉｎｔ＞Ｔ１＜／ＭｅｄｉａＲｅｌＴｉｍｅＰｏｉｎｔ＞に記述されている時刻Ｔ１から時間Ｔ２だけ該動画像を再生するよう動画再生手段５に指示する。ステップＳ９−５では動画再生手段５が該動画像を時刻Ｔ１まで進め或は巻き戻し、時刻Ｔ１の個所から時間Ｔ２だけ再生を行う。動画再生手段５が該動画像の該当部分の再生が終わればステップＳ９−３に戻る。
【００３５】
＜その他の実施の形態＞
以上、実施例を詳述したが、本発明は、複数の機器から構成されるシステムに適用しても良く、又、単体の機器から成る装置に適用しても良いしＬＡＮ等のネットワークを介して処理が行われるシステムに適用しても良い。
【００３６】
又、本発明の目的は、前述した実施形態の機能を実現するソフトウェアのプログラムコードを記録した記憶媒体を、システム或は装置に供給し、そのシステム或は装置のコンピュータ（又はＣＰＵやＭＰＵ）が記憶媒体に格納されたプログラムコードを読出し実行することによっても、達成されることは言うまでもない。その場合、プログラムの機能を有していれば、形態はプログラムである必要はない。
【００３７】
従って、プログラムの機能を有していれば、オブジェクトコード、インタプリタにより実行されるプログラム、ＯＳに供給するスクリプトデータ等、プログラムの形態を問わない。
【００３８】
プログラムを供給するための記憶媒体としては、例えば、フロッピィディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ等を用いることができる。この場合、記憶媒体から読出されたプログラムコード自体が前述した実施の形態の機能を実現することになり、そのプログラムコードを記憶した記憶媒体は本発明を構成することになる。
【００３９】
その他、プログラムの供給方法としては、クライアントコンピュータのブラウザを用いてインターネットのホームページに接続し、該ホームページから本発明のコンピュータプログラムそのもの、若しくは圧縮され自動インストール機能を含むファイルをハードディスク等の記録媒体にダウンロードすることによっても供給できる。
【００４０】
又、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【００４１】
又、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００４２】
又、コンピュータが読出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部又は全部を行い、その処理によって前述した実施の形態の機能が実現される場合も含まれることは言うまでもない。
【００４３】
更に、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれることは言うまでもない。
【００４４】
【発明の効果】
本発明により、重要とされるある特定のシーンやフレームを探し出して自動的に再度再生することができ、学習者に知識の定着を図ることが可能になるという効果がある。
【００４５】
又、繰り返しのために二重にある特定のシーンやフレームを記録することが必要ではなくなり、且つ、重要度に関する情報は動画像そのものよりも大幅に記憶領域が少なく済むため、記憶領域の節約になるという効果もある。
【図面の簡単な説明】
【図１】全体構成を示すブロック図である。
【図２】ユーザインターフェイス部分を示す図である。
【図３】或る動画像に対して重要度を記述する形式の一例を示す図である。
【図４】各シーンの重要度の入力に係るフローチャートである。
【図５】重要度の閾値の入力に係るフローチャートである。
【図６】本発明の実施の形態１における動画像の再生を行う際の動きを示すフローチャートである。
【図７】本発明の実施の形態２における再生パターンファイルの一例を示す図である。
【図８】本発明の実施の形態２における動画像の再生パターン作成を行う処理に係るフローチャートである。
【図９】本発明の実施の形態１における動画像の再生を行う際の動きを示すフローチャートである。
【符号の説明】
１　　　　蓄積手段
２　　　　入力手段
３　　　　重要度抽出手段
４　　　　再生制御手段
５　　　　動画再生手段
６　　　　表示手段
７　　　　中央処理演算部
【図１】
2004007042.tif 000006
【図２】
2004007042.tif 000007
【図３】
2004007042.tif 000008
【図４】
2004007042.tif 000009
【図５】
2004007042.tif 000010
【図６】
2004007042.tif 000011
【図７】
2004007042.tif 000012
【図８】
2004007042.tif 000013
【図９】
2004007042.tif 000014